(57)【特許請求の範囲】
【請求項１】
光素子を有するＦＯＴ（Fiber Optic Transceiver ）と、該ＦＯＴを保持するＦＯＴケースと、これらを覆いシールドを施すシールドケースと、前記光素子に光学的に結合する光ファイバと、該光ファイバ端末に設けられ且つ前記ＦＯＴケース及び前記シールドケースに係合する光ファイバホルダーとを備え、さらに、前記ＦＯＴケースのホルダ係合部分周囲に、光軸に交差する方向からの外力に対するケース側嵌合解除規制部を、前記光ファイバホルダーを上下方向から挟むように設け、前記シールドケースのホルダ係合部分周囲に、光軸に交差する方向からの外力に対するシールド側嵌合解除規制部を、前記光ファイバホルダーを幅方向から挟むように設ける
ことを特徴とする光モジュール構造。
【請求項２】
請求項１に記載の光モジュール構造において、
前記光ファイバホルダーと、前記ＦＯＴケース及び／又は前記シールドケースとに逆組み付け防止部を設ける
ことを特徴とする光モジュール構造。
【請求項３】
請求項１又は請求項２に記載の光モジュール構造において、
前記ＦＯＴケースに前記光ファイバホルダーの光ファイバ保持部をガイドするガイド穴部を設ける
ことを特徴とする光モジュール構造。
【発明の詳細な説明】
【技術分野】
【０００１】
本発明は、光ファイバとＦＯＴ（Fiber Optic Transceiver ）との光学的な結合を行う光モジュールの構造に関する。
【背景技術】
【０００２】
ハイブリッドコネクタ（光コネクタと電気コネクタとを一体化したコネクタ）や光コネクタなどの光モジュールのうち、ピッグテール型となる光モジュールの技術に関しては、例えば下記特許文献１に開示されている。以下、開示された光モジュールの構造について簡単に説明をする。
【０００３】
図７において、光モジュールは、図示しない回路基板に実装される受発光部１と、図示しないコネクタ部と、これら受発光部１及びコネクタ部を中継する光ファイバ２とを備えて構成されている。光ファイバ２の一端には、フェルール３が設けられている。光ファイバ２は、フェルール３を介して受発光部１のＦＯＴ（Fiber Optic Transceiver ）４との光学的な結合がなされるようになっている。ＦＯＴ４は、シールドケース５にて覆われた状態で上記回路基板に接続固定されている。
【０００４】
上記構成において、光ファイバ２の一端を光ファイバ固定部６に固定した状態のフェルール３を光軸方向に沿って移動させると、フェルール３に形成された溝部７がシールドケース５に形成された突出板８に差し込まれる。そして、溝部７の係止突起９と突出板８の係止枠部１０とが引っ掛かり合い、これにより係止状態が形成されると、この時、光ファイバ固定部６が受発光部１に係合して光学的な結合が完了する。
【先行技術文献】
【特許文献】
【０００５】
【特許文献１】特開２００９−１４５７１５号公報
【発明の概要】
【発明が解決しようとする課題】
【０００６】
ところで、上記従来技術にあっては、矢印Ｐで示す上下方向からの外力が加わると、シールドケース５の突出板８が変形してしまうという虞がある。仮に変形が生じた場合には、フェルール３が脱落して光学的な結合に影響を来してしまうという問題点を有している。
【０００７】
また、上記従来技術にあっては、フェルール３の溝部７をシールドケース５の突出板８に差し込むだけの係止構造を採用していることから、フェルール３を上下逆に差し込んでしまう逆組み付けが起きてしまうという虞がある。仮に逆組み付けが起きた場合には、光学的な結合に影響を来してしまうという問題点を有している。
【０００８】
この他、ＦＯＴ４に関し、ＦＯＴ４はこの前面から円筒形状に突出するガイド筒部を有するものや、ガイド筒部のないものがあり、使用するＦＯＴ４によってフェルール３側の形状が決まってしまうという問題点を有している。言い換えれば、ガイド位置を見直すことにより、汎用性を高めることができるという余地を有している。
【０００９】
本発明は、上記した事情に鑑みてなされたもので、脱落防止や逆組み付け防止を図ることが可能な、また、汎用性を高めることが可能な光モジュール構造を提供することを課題とする。
【課題を解決するための手段】
【００１０】
上記課題を解決するためになされた請求項１記載の本発明の光モジュール構造は、光素子を有するＦＯＴ（Fiber Optic Transceiver ）と、該ＦＯＴを保持するＦＯＴケースと、これらを覆いシールドを施すシールドケースと、前記光素子に光学的に結合する光ファイバと、該光ファイバ端末に設けられ且つ前記ＦＯＴケース及び前記シールドケースに係合する光ファイバホルダーとを備え、さらに、前記ＦＯＴケースのホルダ係合部分周囲に、光軸に交差する方向からの外力に対するケース側嵌合解除規制部を、前記光ファイバホルダーを上下方向から挟むように設け、前記シールドケースのホルダ係合部分周囲に、光軸に交差する方向からの外力に対するシールド側嵌合解除規制部を、前記光ファイバホルダーを幅方向から挟むように設けることを特徴とする。
【００１１】
このような特徴を有する本発明によれば、光軸に交差する方向からの外力を受けた場合、この力は係合解除規制部によってホルダー係合部分に作用し難くなる。尚、「係合」の一例として、係止構造を用いての嵌め合いである「嵌合」や、「押さえつけ」、「圧入」等が挙げられるものとする。本発明はいずれであってもよいが、上記「嵌合」が好適であるものとする。
【００１２】
請求項２記載の本発明の光モジュール構造は、請求項１に記載の光モジュール構造において、前記光ファイバホルダーと、前記ＦＯＴケース及び／又は前記シールドケースとに逆組み付け防止部を設けることを特徴とする。
【００１３】
このような特徴を有する本発明によれば、光ファイバホルダーを例えば上下逆に組み付けようとする場合、組み付けは逆組み付け防止部により規制される。逆組み付け防止部は、光ファイバホルダーの係合を規制する構造、すなわち係合できなくする構造が有効である。
【００１４】
請求項３記載の本発明の光モジュール構造は、請求項１又は請求項２に記載の光モジュール構造において、前記ＦＯＴケースに前記光ファイバホルダーの光ファイバ保持部をガイドするガイド穴部を設けることを特徴とする。
【００１５】
このような特徴を有する本発明によれば、光ファイバホルダーの組み付けの際に、光ファイバ保持部はＦＯＴケースのガイド穴部にてガイドされる。ガイド機能は、ＦＯＴの形状に左右されないことになる。
【発明の効果】
【００１６】
請求項１に記載された本発明によれば、ホルダー係合部分の周囲に係合解除規制部を設けていることから、外力の影響を受け難くすることができるという効果を奏する。従って、脱落防止を図ることができるという効果を奏する。本発明によれば、光学的な結合状態を維持することができるという効果も奏する。
【００１７】
請求項２に記載された本発明によれば、逆組み付け防止部を設けていることから、光ファイバホルダーの逆組み付けを防止することができるという効果を奏する。これにより、組み付け作業性を向上させたり、正常な光学的結合の実現を図ることができるという効果も奏する。
【００１８】
請求項３に記載された本発明によれば、光ファイバホルダーの光ファイバ保持部をＦＯＴケースのガイド穴部にてガイドさせていることから、ＦＯＴの形状に左右されない構造にすることができ、結果、汎用性を高めることができるという効果を奏する。
【図面の簡単な説明】
【００１９】
【図１】本発明の光モジュール構造を示す図であり、（ａ）は光モジュールを右側から見た斜視図、（ｂ）は光モジュールを左側から見た斜視図である。
【図２】光モジュールの分解斜視図である。
【図３】ＦＯＴケースの斜視図である。
【図４】ＦＯＴホルダーとＦＯＴケースとの組み付けに係る側面図であり、（ａ）は正規組み付けに係る組付途中状態の図、（ｂ）は正規組み付けに係る組み付け完了時の図、（ｃ）は逆組み付けに係る組み付け不能状態の図である。
【図５】光モジュールを右側から見た拡大斜視図である。
【図６】光モジュールを左側から見た拡大斜視図である。
【図７】従来例の光モジュール構造の断面図である。
【発明を実施するための形態】
【００２０】
以下、図面を参照しながら一実施形態を説明する。図１は本発明の光モジュール構造を示す斜視図である。また、図２は光モジュールの分解斜視図、図３はＦＯＴケースの斜視図、図４はＦＯＴホルダーとＦＯＴケースとの組み付けに係る側面図、図５は光モジュールを右側から見た拡大斜視図、図６は光モジュールを左側から見た拡大斜視図である。
【００２１】
図１において、ハイブリッドコネクタ（光コネクタと電気コネクタとを一体化したコネクタ）や光コネクタなどの光モジュールのうち、ピッグテール型となる光モジュール２１は、図示しない回路基板に実装される受発光部２２と、図示しないコネクタ部と、これら受発光部２２及びコネクタ部を中継する一対の光ファイバ２３と、この一対の光ファイバ２３の端末に設けられる光ファイバホルダー２４とを備えて構成されている。本形態の光モジュール２１は、自動車等の移動体において光信号の送受信を行うために備えられている（移動体に限らないものとする）。
【００２２】
光モジュール２１は、光ファイバホルダー２４を用いて一対の光ファイバ２３の端末を受発光部２２に光学的に結合する構造を有している。この構造にあっては、光ファイバホルダー２４を受発光部２２に嵌合させることにより実現されている。光ファイバホルダー２４の嵌合部分は、仮に外力が加わった場合であっても、受発光部２２に設けられた嵌合解除規制手段２５（係合解除規制部）により、嵌合が解除されないようになっている。尚、嵌合解除規制手段２５に関しては、後述するものとする。
【００２３】
先ず、上記各構成部材について説明をする。説明中では、矢印Ｐを上下方向、矢印Ｑを左右方向、矢印Ｒを前後方向と定義するものとする。矢印Ｒの前後方向は光軸の方向に一致するものとする。上記外力が加わる方向としては、光軸に対し交差する方向であるものとする。
【００２４】
図１及び図２において、受発光部２２は、二つのＦＯＴ（Fiber Optic Transceiver ）２６と、この二つのＦＯＴ２６を保持・固定するＦＯＴケース２７と、これらを覆いシールドを施すシールドケース２８とを備えて構成されている。
【００２５】
ＦＯＴ２６は、光素子（発光素子、受光素子）を有するＦＯＴ本体２９と、このＦＯＴ本体２９から伸びる複数の基板接続用のピン、すなわちリードフレーム３０とを有している。ＦＯＴ２６は、発光側のものと受光側のものの二つが備えられている。発光側のＦＯＴ２６は発光素子を有している。また、受光側のＦＯＴ２６は受光素子を有している。各光素子は、対応するリードフレーム３０にワイヤーボンディング等をすることにより接続されている。
【００２６】
ＦＯＴ本体２９は、この後面がシールドケース２８の図示しないＦＯＴ押さえバネにより押圧されると、前面がＦＯＴケース２７の内面に対し押し付けられるような形状に形成されている。ＦＯＴ本体２９の前面には、光素子の配設位置に合わせて凹部３１が形成されている。尚、凹部３１ではなく円筒形状に突出するガイド筒部を形成してもよいものとする（以下の説明で分かるようになるが、光ファイバ２３側に対するガイド機能は、ＦＯＴ本体２９の形状に左右されないようになっている）。
【００２７】
ＦＯＴ本体２９における引用符号３２は、固定用穴を示している。固定用穴３２は、ＦＯＴケース２７の内面に突出する図示しないＦＯＴ固定突起に対し圧入される部分として形成されている。
【００２８】
リードフレーム３０は、断面四角形状であって、ＦＯＴ本体２９の下部から下方向にのびるように形成されいる。リードフレーム３０は、この先端が図示しない回路基板に差し込まれ、この後に対応する回路に半田付けされるようになっている。リードフレーム３０は、本形態において千鳥状に配置されているが、横一列に並ぶ配置であってもよいものとする。
【００２９】
図２及び図３において、ＦＯＴケース２７は、絶縁性を有する樹脂成形品であって、前壁３３と、下壁３４と、左右の側壁３５と、前壁３３に設けられるケース側嵌合解除規制部３６（係合解除規制部）とを有している。ＦＯＴケース２７は、前壁３３、下壁３４、及び左右の側壁３５に囲まれる部分がＦＯＴ本体固定部３７として、また、下壁３４がリードフレーム固定部３８として形成されている。
【００３０】
前壁３３には、一対のガイド穴部３９が貫通形成されている。一対のガイド穴部３９は、光ファイバホルダー２４の後述する光ファイバ保持部６０（図１参照）をガイドする部分として形成されている。すなわち、ガイド機能部分として形成されている。一対のガイド穴部３９は、ＦＯＴ２６における光素子（発光素子、受光素子）の位置に合わせて配置形成されている。一対のガイド穴部３９の周囲には、ケース側嵌合解除規制部３６が設けられている。
【００３１】
ケース側嵌合解除規制部３６は、上側突出壁４０と、下側突出壁４１と、上段４２及び下段４３からなる段差４４とを有して構成されている。ケース側嵌合解除規制部３６は、嵌合解除規制手段２５の一つとなっている。段差４４は、上側突出壁４０及び下側突出壁４１の間に配置されている。ケース側嵌合解除規制部３６は、上側から上側突出壁４０、段差４４、下側突出壁４１が縦に並ぶように配置形成されている。この縦の並びは左右方向に一対となるようになっている。上側突出壁４０、段差４４、及び下側突出壁４１は、側方から見ると略コ字状となるような形状に形成されている。また、上側突出壁４０及び下側突出壁４１は、光ファイバホルダー２４（図１参照）をこの上下から挟み込むような形状に形成されている。
【００３２】
上側突出壁４０は、前壁３３に対し直交するように突出する細長い壁（光軸の方向に沿って突出する細長い壁）であって、光ファイバホルダー２４（図１参照）の上面に対向するように配置形成されている。上側突出壁４０は上記の如く二つあり、これらは所定の間隔をあけて配置されている。上側突出壁４０は、光ファイバホルダー２４の幅寸法に合わせて配置されている。上側突出壁４０は、この基端部分（前壁３３近傍）にスリット４５を有している。スリット４５には、シールドケース２８（図１参照）の一部が差し込まれるようになっている。
【００３３】
下側突出壁４１は、上側突出壁４０と同様に、前壁３３に対し直交するように突出する壁（光軸の方向に沿って突出する壁）であって、上側突出壁４０よりも幅が広い形状に形成されている。下側突出壁４１は、光ファイバホルダー２４（図１参照）の下面に対向するように配置形成されている。下側突出壁４１は上記の如く二つあり、これらは所定の間隔をあけて配置されている。下側突出壁４１は、光ファイバホルダー２４の幅寸法に合わせて配置されている。
【００３４】
段差４４は、上記の如く上段４２及び下段４３からなり、略階段形状に形成されている。上段４２は、上側突出壁４０側に配置されている。また、下段４３は、下側突出壁４１側に配置されている。上段４２は、下段４３よりも前側に位置するように（突出するように）配置されている。段差４４は、ＦＯＴケース２７側の逆組み付け防止部４６として機能するようになっている。
【００３５】
段差４４は組み付け時において、光ファイバホルダー２４（図１参照）側の後述する逆組み付け防止部６２と係合するようになっている。この時、段差同士が一致しない場合に、光ファイバホルダー２４の嵌合が不能になるようになっている（図４を参照しながら後述するものとする）。
【００３６】
上段４２は、光ファイバホルダー２４（図２参照）の後述する噛み合い凹部６３の係合部分としても形成されている。上段４２は、これに噛み合い凹部６３が係合すると、光ファイバホルダー２４の左右方向のガタ付きや移動を規制することができるようになっている。
【００３７】
ケース側嵌合解除規制部３６（上側突出壁４０、段差４４、及び下側突出壁４１）は、上記から分かるように、光ファイバホルダー２４（図１参照）の上下方向や左右方向の移動を規制することができる部分として形成されている。すなわち、光軸に対し交差する方向からの外力に強い構造に形成されている。ケース側嵌合解除規制部３６は、光ファイバホルダー２４の嵌合部分（係合部分）の周囲となる位置に配置形成されている。
【００３８】
ＦＯＴケース２７は、左右の側壁３５にそれぞれ係止突起４７を有している。係止突起４７は、シールドケース２８（図１参照）を引っ掛けてこの抜けを防止する部分として形成されている。
【００３９】
図１及び図２において、シールドケース２８は、導電性を有する金属板をプレス加工することにより形成されている。シールドケース２８は、図示のような下側が開口する略箱状の形状に形成されている。シールドケース２８は、電磁ノイズ対策を施すことができるように形成されている。シールドケース２８は、下側開口部４８と、上壁４９と、左右の側壁５０と、前壁５１と、後壁５２と、ホルダー嵌合部５３と、シールド側嵌合解除規制部５４（係合解除規制部）とを有している。
【００４０】
シールドケース２８は、ＦＯＴ２６を保持・固定した状態のＦＯＴケース２７を、下側開口部４８から上壁４９へ向けて差し込むことにより覆うことができるようになっている。シールドケース２８は、左右の側壁５０の係止部５５にＦＯＴケース２７の係止突起４７が引っ掛かると、これにより係止・固定されるようになっている。
【００４１】
前壁５１には、一対のホルダー嵌合部５３及びシールド側嵌合解除規制部５４が設けられている。ホルダー嵌合部５３は、前壁５１を直角に略観音開きするようにして形成されている。ホルダー嵌合部５３は、光ファイバホルダー２４の幅寸法に合わせた間隔にて対向するように配置形成されている。ホルダー嵌合部５３には、矩形の嵌合孔５６が貫通形成されている。嵌合孔５６は、光ファイバホルダー２４を引っ掛けて嵌合状態にする部分として形成されている。
【００４２】
シールド側嵌合解除規制部５４は、嵌合解除規制手段２５の一つであって、ホルダー嵌合部５３の下側を直角に折り曲げることにより形成されている。シールド側嵌合解除規制部５４は、光ファイバホルダー２４の嵌合部分（係合部分）となるホルダー嵌合部５３に外力を作用させないようにする部分として形成されている。シールド側嵌合解除規制部５４は、これに外力が加わった場合に、ＦＯＴケース２７のケース側嵌合解除規制部３６（下側突出壁４１）にて左右方向内側への倒れ込みが規制されるようになっている。尚、シールド側嵌合解除規制部５４は、ホルダー嵌合部５３の左右方向外側への倒れ込みを規制できるような形状にも形成されている。
【００４３】
下側開口部４８には、ピン形状となる複数の基板接続５７と、基板固定脚部５８とが形成されている。後壁５２には、ＦＯＴ２６（ＦＯＴ本体２９の後面）を押圧する図示しないＦＯＴ押さえバネが形成されている。
【００４４】
光ファイバホルダー２４は、絶縁性を有する樹脂成形品であって、矩形の略ブロック形状となるホルダー本体５９と、このホルダー本体５９の前面から一部が突出するような一対の光ファイバ保持部６０とを有している（図示の形状は一例であるものとする）。
【００４５】
ホルダー本体５９の左右両側には、可撓性を有する嵌合突起部６１（係合部分）がそれぞれ形成されている。また、嵌合突起部６１（係合部分）よりも前側には、逆組み付け防止部６２（図４参照）がそれぞれ形成されている。さらに、逆組み付け防止部６２の近傍には、噛み合い凹部６３がそれぞれ形成されている。
【００４６】
逆組み付け防止部６２は、段差形状であって、上側に位置する第一段部６４と、下側に位置する第二段部６５とにより構成されている。第一段部６４は、ホルダー本体５９の後面からの距離が第二段部６５よりも短くなるような位置に配置形成されている。第一段部６４及び第二段部６５は、ＦＯＴケース２７の上段４２及び下段４３の段差に合わせて形成されている（図４参照）。
【００４７】
第一段部６４及び第二段部６５は、これらが上下逆になった場合に、すなわち光ファイバホルダー２４の逆組み付けがなされた場合に、段差によって光ファイバホルダー２４の嵌合を不能にすることができるように形成されている（図４参照。嵌合突起部６１の位置を変えることにより嵌合を不能にする）。
【００４８】
噛み合い凹部６３は、ＦＯＴケース２７の段差４４（上段４２）に係合する部分として凹状に形成されている。噛み合い凹部６３は、これが上段４２に係合すると、光ファイバホルダー２４の左右方向のガタ付きや移動を規制することができるようになっている。
【００４９】
光ファイバ保持部６０は、ホルダー本体５９の後面側から挿入される光ファイバ２３を保持・固定する部分として形成されている。光ファイバ保持部６０は、公知のフェルールと同様に機能する部分として形成されている。光ファイバ保持部６０は、ＦＯＴケース２７のガイド穴部３９に挿入・案内される部分としても形成されている。
【００５０】
光ファイバ２３は、本形態において、公知のＰＯＦ（Plastic Optical Fiber ）が用いられている（これに限定されるものでないものとする）。
【００５１】
次に、上記構成及び構造に基づきながら、光モジュール２１の組み付けについて説明をする。
【００５２】
図２において、二つのＦＯＴ２６をＦＯＴケース２７のＦＯＴ本体固定部３７に保持・固定し、これらをシールドケース２８にて覆うと、受発光部２２の組み付けが完了する。そして、この受発光部２２を図示しない回路基板に実装し、光ファイバホルダー２４を受発光部２２に嵌合させると、この時、光ファイバ２３の端面がＦＯＴ２６の光素子に対向して光学的な結合が完了する。
【００５３】
光ファイバホルダー２４は、この嵌合突起部６１がシールドケース２８のホルダー嵌合部５３の嵌合孔５６に引っ掛かり係止される。この係止により光ファイバホルダー２４の嵌合状態が形成される。嵌合部分の周囲には、シールドケース２８のシールド側嵌合解除規制部５４や、ＦＯＴケース２７のケース側嵌合解除規制部３６（上側突出壁４０、段差４４、及び下側突出壁４１）が存在し、光軸に交差する方向からの外力に対し強い構造になっている。
【００５４】
上記強い構造に関し具体的に説明をすると、図５及び図６に示す上方からの外力（矢印Ｐ１参照）に対しては、一対の上側突出壁４０が機能する（外力を受ける）。仮に光ファイバホルダー２４の上面に対し上方からの外力が作用した場合には、一対の下側突出壁４１が機能する（外力を受ける）。
【００５５】
また、下方からの外力（矢印Ｐ２参照）に対しては、一対の下側突出壁４１が機能する。仮に光ファイバホルダー２４の下面に対し下方からの外力が作用した場合には、一対の上側突出壁４０が機能する。
【００５６】
また、左方からの外力（矢印Ｑ１参照）に対しては、左側のシールド側嵌合解除規制部５４が機能する。仮に光ファイバホルダー２４の側面に対し左方からの外力が作用した場合には、右側の噛み合い凹部６３が右側の段差４４に係合するように機能する。尚、左側のシールド側嵌合解除規制部５４は、左側の下側突出壁４１にて左右方向内側へ倒れ込むことはない。
【００５７】
また、右方からの外力（矢印Ｑ２参照）に対しては、右側のシールド側嵌合解除規制部５４が機能する。仮に光ファイバホルダー２４の側面に対し右方からの外力が作用した場合には、左側の噛み合い凹部６３が左側の段差４４に係合するように機能する。尚、右側のシールド側嵌合解除規制部５４は、右側の下側突出壁４１にて左右方向内側へ倒れ込むことはない。
【００５８】
以上、図１ないし図６を参照しながら説明してきたように、光モジュール２１によれば、ホルダー係合部分の周囲にシールドケース２８のシールド側嵌合解除規制部５４や、ＦＯＴケース２７のケース側嵌合解除規制部３６（上側突出壁４０、段差４４、及び下側突出壁４１）を設けていることから、外力の影響を受け難くすることができるという効果を奏する。従って、光ファイバホルダー２４の脱落防止を図ることができるという効果を奏する。光モジュール２１によれば、光学的な結合状態を維持することができるという効果も奏する。
【００５９】
また、光モジュール２１によれば、ＦＯＴケース２７に逆組み付け防止部４６を設け、光ファイバホルダー２４にも逆組み付け防止部６２を設けていることから、光ファイバホルダー２４の逆組み付けを防止することができるという効果を奏する。これにより、組み付け作業性を向上させたり、正常な光学的結合の実現を図ることができるという効果も奏する。
【００６０】
さらに、光モジュール２１によれば、光ファイバホルダー２４の光ファイバ保持部６０をＦＯＴケース２７のガイド穴部３９にてガイドさせていることから、ＦＯＴ２６の形状に左右されない構造にすることができ、結果、汎用性を高めることができるという効果を奏する。
【００６１】
本発明は本発明の主旨を変えない範囲で種々変更実施可能なことは勿論である。
【符号の説明】
【００６２】
２１…光モジュール
２２…受発光部
２３…光ファイバ
２４…光ファイバホルダー
２５…嵌合解除規制手段（係合解除規制部）
２６…ＦＯＴ
２７…ＦＯＴケース
２８…シールドケース
２９…ＦＯＴ本体
３０…リードフレーム
３１…凹部
３２…固定用穴
３３…前壁
３４…下壁
３５…側壁
３６…ケース側嵌合解除規制部（係合解除規制部）
３７…ＦＯＴ本体固定部
３８…リードフレーム固定部
３９…ガイド穴部
４０…上側突出壁
４１…下側突出壁
４２…上段
４３…下段
４４…段差
４５…スリット
４６…逆組み付け防止部
４７…係止突起
４８…下側開口部
４９…上壁
５０…側壁
５１…前壁
５２…後壁
５３…ホルダー嵌合部
５４…シールド側嵌合解除規制部（係合解除規制部）
５５…係止部
５６…嵌合孔
５７…基板接続
５８…基板固定脚部
５９…ホルダー本体
６０…光ファイバ保持部
６１…嵌合突起部
６２…逆組み付け防止部
６３…噛み合い凹部
６４…第一段部
６５…第二段部
【図１】
0005727252.tif 000002
【図２】
0005727252.tif 000003
【図３】
0005727252.tif 000004
【図４】
0005727252.tif 000005
【図５】
0005727252.tif 000006
【図６】
0005727252.tif 000007
【図７】
0005727252.tif 000008